(57)【特許請求の範囲】
【請求項１】
被写体を撮影して撮影画像を得る撮影部と、
前記撮影部によって得られた撮影画像を解析することで該撮影画像の明るさを測る、互いに解析方式が異なる３つ以上の測光モードを有した測光部と、
前記測光部によって測られた明るさに基づいて、撮影画像の明るさに影響する撮影条件を調整する条件調整部と、
前記測光部が有する３つ以上の測光モードのうちから、選択操作に応じた２つ以上の測光モードを選択するモード選択部と、
前記モード選択部によって選択された測光モードのうちの１つの測光モードを前記測光部に実行させる、その実行させる測光モードを、切替えを指示する切替操作を受けて、前記モード選択部によって選択された測光モード中で循環的に切り替えるモード切替部とを備えたことを特徴とする撮影装置。
【請求項２】
光源と、
前記光源から発せられた光を前記被写体に導く導光部とを備え、
前記条件調整部が、前記光源から前記被写体を経て前記撮影部に至る光学的な経路上のいずれかで、該経路を通過する光の量を調整するものであることを特徴とする請求項１記載の撮影装置。
【請求項３】
前記選択操作と前記切替操作との双方に用いられる兼用操作子と、
前記兼用操作子に対する操作の変更を指示する変更操作を受けて、該兼用操作子に対する操作を前記選択操作と前記切替操作との間で変更する操作変更部とを備えたことを特徴とする請求項１または２記載の撮影装置。
【請求項４】
前記モード切替部が、切替可能な測光モードの範囲拡張を指示する拡張操作を受けて、前記３つ以上の測光モードのうちの１つの測光モードを前記測光部に実行させるとともに、前記切替操作による測光モードの切替えを、該３つ以上の測光モード中での循環的な切替えに変更するものであることを特徴とする請求項１から３のうちいずれか１記載の撮影装置。
【請求項５】
前記撮影部によって得られた撮影画像を表示するとともに、前記モード選択部によって選択された測光モードも表示し、その選択された測光モードのうち前記測光部で実行されている測光モードについては他の測光モードの表示形態とは異なる表示形態で表示する表示部を備えたことを特徴とする請求項１から４のうちいずれか１項記載の撮影装置。
【請求項６】
少なくとも前記測光部と前記モード選択部とを有する本体と、
少なくとも前記撮影部と、前記モード選択部によって選択された測光モードを記憶するモード記憶部とを有する、前記本体部に対して着脱自在なスコープとを備え、
前記モード選択部が、前記本体に前記スコープが装着されたときに前記モード記憶部に記憶されている測光モードを、該モード選択部によって選択した測光モードとして取り込むものであることを特徴とする請求項１から５のうちいずれか１項記載の撮影装置。
【請求項７】
前記モード選択部が、前記選択操作に応じて測光モードを選択する操作選択モードと、前記モード記憶部に記憶されている測光モードを該モード選択部によって選択した測光モードとして取り込む自動選択モードとを有し、該操作選択モードと該自動選択モードとが操作によって切替自在なものであることを特徴とする請求項６記載の撮影装置。
【請求項８】
少なくとも前記測光部と前記モード選択部とを有する本体と、
少なくとも前記撮影部を有する、前記本体部に対して着脱自在なスコープとを備え、
前記スコープは、該スコープの機種を記憶した機種記憶部を有するものであり、
前記本体は、前記モード選択部によって選択された測光モードを、該本体に装着されているスコープの機種と対応付けて記憶する機種対応モード記憶部を有するものであり、
前記モード選択部が、前記本体に前記スコープが装着されたときに、該スコープの機種と同じ機種に対応付けられて前記機種対応モード記憶部に記憶されている測光モードを、該モード選択部によって選択した測光モードとして取り込むものであることを特徴とする請求項１から５のうちいずれか１項記載の撮影装置。
【請求項９】
前記モード選択部が、前記選択操作に応じて測光モードを選択する操作選択モードと、前記機種対応モード記憶部に記憶されている測光モードを該モード選択部によって選択した測光モードとして取り込む機種対応選択モードとを有し、該操作選択モードと該機種対応選択モードとが操作によって切替自在なものであることを特徴とする請求項８記載の撮影装置。
【発明の詳細な説明】
【技術分野】
【０００１】
本発明は、被写体を撮影して撮影画像を得る撮影装置に関する。
【背景技術】
【０００２】
従来から、医療の分野においては、先端にＣＣＤなどが取り付けられた細長い管を被検体の体内に挿入し、被検体の体内を撮影して腫瘍や血栓などを観察する内視鏡装置が広く利用されている。このような内視鏡装置によれば、被検体の体内を直接撮影することによって、被検体に外的なダメージを与えることなく、放射線画像では分かりにくい病巣の色や形状などを把握することができ、治療方針の決定などに必要な情報を手軽に得ることができる。
【０００３】
このような内視鏡装置では、被検体の体内を照らし、その照明下で撮影が行われる。また、例えばハレーション等といった照明上の不具合を回避するために、撮影画像を解析することでその撮影画像の明るさを測るという測光が一般的に行われている。被検体の体内を照らす照明は、この測光で得られた明るさに基づいて適切な明るさに調整される。
【０００４】
ここで、測光における解析方法としては、例えば、撮影画像中の各所の明るさの平均をその撮影画像の明るさとする平均測光や、撮影画像中の高輝度部分の明るさをその撮影画像の明るさとするピーク測光等といった様々な解析方法が知られている。内視鏡装置での撮影における明るさの調整にどのような解析方法が適しているかは、撮影環境や内視鏡装置を操作するユーザの好みによって変わることが多い。そのため、内視鏡装置には、互いに解析方法が異なる複数の測光モードを有し、ユーザが所望の測光モードを選択できる構成となっているものがある。
【０００５】
このような構成の内視鏡装置が医療現場で用いられるときには、ユーザが内視鏡装置を操作しながら測光モードを別の測光モードに変更するという状況が多々生じている。そこで、このような操作の便を図るために、測光モードを、ユーザの手元のボタンを押す等を受けて、選択可能な複数の測光モード中で循環的に切り替える内視鏡装置が提案されている（例えば、特許文献１参照。）。
【特許文献１】特開平５−２２８１１０号公報
【発明の開示】
【発明が解決しようとする課題】
【０００６】
しかしながら、特許文献１に記載の内視鏡装置では、上記の切替えが循環的であるために、現在の測光モードと所望の測光モードとの間に、ユーザにとっては全く余計な測光モードがあったとしても、その余計な測光モードを必ず経なければ所望の測光モードに至ることができず、ユーザにとって非常に煩わしいという問題がある。
【０００７】
このような煩わしさは、ここまでに説明した内視鏡装置に限らず、測光によって撮影条件を調整しながら撮影を行い、測光モードを循環的に切り替える撮影装置に共通に生じる問題である。
【０００８】
本発明は、上記事情に鑑み、測光モードを容易に切り替えることができる撮影装置を提供することを目的とする。
【課題を解決するための手段】
【０００９】
上記目的を達成する本発明の撮影装置は、
被写体を撮影して撮影画像を得る撮影部と、
上記撮影部によって得られた撮影画像を解析することでその撮影画像の明るさを測る、互いに解析方式が異なる３つ以上の測光モードを有した測光部と、
上記測光部によって測られた明るさに基づいて、撮影画像の明るさに影響する撮影条件を調整する条件調整部と、
上記測光部が有する３つ以上の測光モードのうちから、選択操作に応じた２つ以上の測光モードを選択するモード選択部と、
上記モード選択部によって選択された測光モードのうちの１つの測光モードを上記測光部に実行させる、その実行させる測光モードを、切替えを指示する切替操作を受けて、上記モード選択部によって選択された測光モード中で循環的に切り替えるモード切替部とを備えたことを特徴とする。
【００１０】
この本発明の撮影装置によれば、測光モードの循環的な切り替えは、上記モード選択部によって選択された２つ以上の測光モード中で行われる。また、その２つ以上の測光モードは、上記モード選択部において、選択操作に応じて選択される。そこで、本発明の撮影装置によれば、ユーザが、撮影時に使用が想定される必要な測光モードを、撮影前に選択操作によって２つ以上選んでおき、撮影時の測光モードの循環的な切り替えは、それら必要な測光モードの中だけで行うといった運用が可能となる。つまり、この本発明の撮影装置によれば、不要な測光モードを経ることなく測光モードの切替えが可能であり、測光モードを容易に切り替えることができる。
【００１１】
ここで、本発明の撮影装置において、
「光源と、
上記光源から発せられた光を上記被写体に導く導光部とを備え、
上記条件調整部が、上記光源から上記被写体を経て上記撮影部に至る光学的な経路上のいずれかで、その経路を通過する光の量を調整するものである」という形態は典型的な形態である。
【００１２】
この典型的な形態は、光源から発せられた光で被写体を照らして撮影する内視鏡装置に対応した形態であり、その被写体に対する照明の明るさが、光源から発せられた光を例えば上記光源と上記導光部との間で適宜に絞る等といった方法で調整されることとなる。
【００１３】
また、本発明の撮影装置において、
「上記選択操作と上記切替操作との双方に用いられる兼用操作子と、
上記兼用操作子に対する操作の変更を指示する変更操作を受けて、その兼用操作子に対する操作を上記選択操作と上記切替操作との間で変更する操作変更部とを備えた」という形態は好ましい形態である。
【００１４】
この好ましい形態の撮影装置によれば、上記選択操作と上記切替操作との双方を上記兼用操作子で行うことができるので、測光モードを一層容易に切り替えることができる。
【００１５】
また、本発明の撮影装置において、
「上記モード切替部が、切替可能な測光モードの範囲拡張を指示する拡張操作を受けて、上記３つ以上の測光モードのうちの１つの測光モードを上記測光部に実行させるとともに、上記切替操作による測光モードの切替えを、その３つ以上の測光モード中での循環的な切替えに変更するものである」という形態も好ましい形態である。
【００１６】
この好ましい形態の撮影装置によれば、ユーザが上記２つ以上の測光モード中での切替えを止めて、この撮影装置で実行可能な全ての測光モード中での切替えを望んだときにも、上記拡張操作によって操作状態を容易に変更することができる。
【００１７】
また、本発明の撮影装置において、
「上記撮影部によって得られた撮影画像を表示するとともに、上記モード選択部によって選択された測光モードも表示し、その選択された測光モードのうち上記測光部で実行されている測光モードについては他の測光モードの表示形態とは異なる表示形態で表示する表示部を備えた」という形態も好ましい。
【００１８】
この好ましい形態の撮影装置によれば、ユーザは、上記表示部による測光モードの表示によって、現在の測光モードが何であるか、また、現在切替可能な測光モードが何であるかを容易に視認することができる。
【００１９】
また、本発明の撮影装置において、
「少なくとも上記測光部と上記モード選択部とを有する本体と、
少なくとも上記撮影部と、上記モード選択部によって選択された測光モードを記憶するモード記憶部とを有する、上記本体部に対して着脱自在なスコープとを備え、
上記モード選択部が、上記本体に上記スコープが装着されたときに上記モード記憶部に記憶されている測光モードを、そのモード選択部によって選択した測光モードとして取り込むものである」という形態も好ましい形態である。
【００２０】
この好ましい形態の撮影装置によれば、上記スコープの上記モード記憶部による２つ以上の測光モードの記憶以降は、切替えの母集団がその記憶された２つ以上の測光モードに自動的に設定されるので、測光モードを一層容易に切り替えることができる。
【００２１】
また、この好ましい形態の撮影装置において、
「上記モード選択部が、上記選択操作に応じて測光モードを選択する操作選択モードと、上記モード記憶部に記憶されている測光モードをそのモード選択部によって選択した測光モードとして取り込む自動選択モードとを有し、その操作選択モードとその自動選択モードとが操作によって切替自在なものである」という形態はさらに好ましい形態である。
【００２２】
このさらに好ましい形態の撮影装置によれば、自動的に設定される母集団とは異なる母集団中での切替えをユーザが所望する場合には、上記モード選択部による選択を上記操作選択モードに切り替えることで、所望の母集団を設定し直すことができる。
【００２３】
また、本発明の撮影装置において、
「少なくとも上記測光部と上記モード選択部とを有する本体と、
少なくとも上記撮影部を有する、上記本体部に対して着脱自在なスコープとを備え、
上記スコープは、そのスコープの機種を記憶した機種記憶部を有するものであり、
上記本体は、上記モード選択部によって選択された測光モードを、その本体に装着されているスコープの機種と対応付けて記憶する機種対応モード記憶部を有するものであり、
上記モード選択部が、上記本体に上記スコープが装着されたときに、そのスコープの機種と同じ機種に対応付けられて上記機種対応モード記憶部に記憶されている測光モードを、そのモード選択部によって選択した測光モードとして取り込むものである」という形態も好ましい形態である。
【００２４】
この好ましい形態の撮影装置によれば、上記機種対応モード記憶部による２つ以上の測光モードの記憶以降は、その記憶時のスコープと同機種のスコープについては、切替えの母集団がその記憶された２つ以上の測光モードに自動的に設定されるので、測光モードを一層容易に切り替えることができる。
【００２５】
また、この好ましい形態の撮影装置において、
「上記モード選択部が、上記選択操作に応じて測光モードを選択する操作選択モードと、上記機種対応モード記憶部に記憶されている測光モードをそのモード選択部によって選択した測光モードとして取り込む機種対応選択モードとを有し、その操作選択モードとその機種対応選択モードとが操作によって切替自在なものである」という形態はさらに好ましい形態である。
【００２６】
このさらに好ましい形態の撮影装置によれば、自動的に設定される母集団とは異なる母集団中での切替えをユーザが所望する場合には、上記モード選択部による選択を上記操作選択モードに切り替えることで、所望の母集団を設定し直すことができる。
【発明の効果】
【００２７】
以上、説明したように、本発明によれば、測光モードを容易に切り替えることができる撮影装置を提供することができる。
【発明を実施するための最良の形態】
【００２８】
以下図面を参照して本発明の実施の形態を説明する。
【００２９】
図１は、本発明の一実施形態である内視鏡装置を示す図である。
【００３０】
この図１に示す内視鏡装置１０は、本発明にいう撮影装置の一例に相当し、被検体の内部に挿入されその内部の被写体を照らしてその照明下で撮影して撮影画像を得るスコープ１００と、スコープ１００で得られた撮影画像に各種の画像処理等を施すプロセッサ２００と、スコープ１００に照明用の光を供給する光源装置３００と、プロセッサ２００における画像処理等を経た撮影画像を表示するモニタ４００とを備えている。スコープ１００は、本発明にいうスコープの一例に相当し、プロセッサ２００と光源装置３００を合せたものが、本発明にいう本体の一例に相当する。
【００３１】
スコープ１００は、プロセッサ２００および光源装置３００に着脱自在に装着されるものであり、光ファイバ製のライトガイド１１０と、被写体を撮影するＣＣＤ１２０を備えている。ライトガイド１１０は、光源装置３００から供給される照明用の光を、被検体の体腔内にある被写体に導き、ＣＣＤ１２０は、その導かれた光による照明下で、被写体で反射された光を受光することでその被写体の像をあらわす動画のアナログ画像データを生成する。スコープ１００は、さらに、相関二重サンプリング（ＣＤＳ）を行うとともに、アナログデータを適宜に増幅する自動利得制御（ＡＧＣ）を行うＣＤＳ／ＡＧＣ回路１３０と、アナログデータをデジタルデータに変換するＡ／Ｄ変換回路１４０とを備えている。ＣＣＤ１２０で生成された動画のアナログ画像データは、ＣＤＳおよびＡＧＣを経てＡ／Ｄ変換回路１４０に渡され、動画のデジタル画像データに変換される。そして、その動画のデジタル画像データが、プロセッサ２００に渡される。ライトガイド１１０は、本発明にいう導光部の一例に相当し、ＣＣＤ１２０とＣＤＳ／ＡＧＣ回路１３０とＡ／Ｄ変換回路１４０とを合せたものが、本発明にいう撮影部の一例に相当する。また、スコープ１００には、このスコープ１００の型番等の各種情報を記憶するＥＥＰＲＯＭ１５０も備えられている。
【００３２】
プロセッサ２００には、スコープ１００の各構成要素の動作を含む、この内視鏡装置１０全体の制御を行うプロセッサ側ＣＰＵ２１０と、各種制御プログラムや制御に必要な各種情報を記憶するプロセッサ側メモリ２２０とが備えられている。また、プロセッサ２００には、プロセッサ側ＣＰＵ２１０の指示により画像に対してガンマ補正や彩度補正等といった各種画像処理を行う信号処理回路２３０と、信号処理回路２３０による各種画像処理を経た画像をモニタ４００に表示する表示制御部２４０とを備えている。
【００３３】
このプロセッサ２００では、スコープ１００から渡された動画のデジタル画像データが信号処理回路２３０に入力され、そのデジタル画像データが表わす動画に対して上記の各種画像処理が施され、処理済みのデジタル画像データが表わす動画が、表示制御部２４０によってモニタ４００に表示される。また、信号処理回路２３０とプロセッサ側ＣＰＵ２１０とは、光源装置３００がスコープ１００に供給する光の量の調整にも関わっているが、その調整については後で詳細に説明する。
【００３４】
光源装置３００は、光源３１０と、光源３１０から発せられスコープ１００のライトガイド１１０に向かう光の量を調整する絞り３２０を備えている。本実施形態では、絞り３２０が、不図示の回転軸を中心に、光源３１０からライトガイド１１０までの光路と交わる方向に回転自在に配置されている。そして、光源３１０からライトガイド１１０に向かう光の量は、回転後の絞り３２０によって光路がどれだけ遮られるかに応じた量、即ち、絞り３２０の回転量に応じた量となる。また、光源装置３００には、この光源装置３００全体の動作制御を行う光源装置側ＣＰＵ３３０と、各種制御プログラムや制御に必要な各種情報を記憶する光源装置側メモリ３４０とが備えられている。上記の絞り３２０の回転量は、光源装置側ＣＰＵ３３０によって制御される。ここで、光源３１０が、本発明にいう光源の一例に相当する。
【００３５】
以下、この絞り３２０の回転量の制御による、光源３１０からライトガイド１１０に向かう光の量の調整について説明する。
【００３６】
まず、プロセッサ２００の信号処理回路２３０において、デジタル画像データが表わす動画を構成する複数コマの静止画像の中から適宜に静止画像が抽出される。さらに、信号処理回路２３０では、その抽出された静止画像の各所の明るさについてのヒストグラムを作成する。作成されたヒストグラムは、プロセッサ側ＣＰＵ２１０に渡される。プロセッサ側ＣＰＵ２１０では、このヒストグラムを分析して、信号処理回路２３０で抽出された静止画像の明るさを算出する。
【００３７】
信号処理回路２３０でのヒストグラムの作成からプロセッサ側ＣＰＵ２１０での明るさの算出までの処理は、上記の抽出された静止画像に対する測光に当たり、プロセッサ側ＣＰＵ２１０と信号処理回路２３０とを合せたものが、本発明にいう測光部の一例に相当する。
【００３８】
ここで、本実施形態では、この測光について、プロセッサ側ＣＰＵ２１０でのヒストグラムの分析による明るさの算出方法が互いに異なる次のような３つの測光モードが用意されている。即ち、ヒストグラムにおける明るさの平均値を上記の抽出された静止画像の明るさとして算出する平均測光モードと、ヒストグラムにおける高輝度側からからの累積度数が所定数（ここでの例では１０％）になる明るさを静止画像の明るさとして算出するピーク測光モードと、平均測光による算出結果とピーク測光による算出結果とを各々０．５の重みを乗じて足し合わせた結果を静止画像の明るさとして算出する混合測光モードとの３つの測光モードが用意されている。
【００３９】
測光は、これら３つの測光モードのうちユーザが所望する測光モードで行われる。本実施形態では、このユーザによる所望の測光モードの設定に関連して操作される操作子として、スコープ１００にはスコープ側操作ボタン１６０が設けられ、光源装置３００には光源装置側第１操作ボタン３５０と光源装置側第２操作ボタン３６０とが設けられている。これらのボタンを用いた測光モードの設定については後で詳細に説明する。
【００４０】
所望の測光モードで行われた測光で得られた明るさが、プロセッサ側ＣＰＵ２１０から光源装置側ＣＰＵ３３０に渡される。
【００４１】
光源装置側ＣＰＵ３３０は、プロセッサ側ＣＰＵ２１０から渡された明るさが、所定の許容範囲内の明るさであるか否かを判定する。そして、光源装置側ＣＰＵ３３０は、渡された明るさが許容範囲内の明るさではなかった場合に、絞り３２０の回転量を、その渡された明るさと許容範囲との差異に基づいて算出し、その算出結果に応じて絞り３２０の位置を動かす。ここで、絞り３２０の回転量は、本発明にいう撮影条件の一例に相当し、絞り３２０と、その絞り３２０を動かす光源装置側ＣＰＵ３３０とを合せたものは、本発明にいう条件調整部の一例に相当する。
【００４２】
本実施形態では、以上に説明した、静止画像の抽出と測光と絞り３２０の回転が、この内視鏡装置１０による撮影中は所定間隔ごとに繰返し行われる。これにより、モニタ上に表示される動画の明るさが、上記の許容範囲内の明るさに維持されることとなる。
【００４３】
次に、測光モードの設定について説明する。
【００４４】
図１の内視鏡装置１０は、デフォルトの状態では、プロセッサ側ＣＰＵ２１０においてピーク測光モード、平均測光モード、および混合測光モードの３つの測光モードの中から１つの測光モードを選択的に設定することが可能となっている。このデフォルトの状態では、１つの測光モードが、ピーク測光モード、平均測光モード、混合測光モードの順で循環的に切り替えられることで所望の測光モードが設定される。その循環的な切替えは、スコープ１００では、スコープ側操作ボタン１６０を押すことで行われ、光源装置３００では、光源装置側第１操作ボタン３５０を押すことで行われる。つまり、これらのボタンをユーザが押す度に、プロセッサ側ＣＰＵ２１０によって、測光モードが、ピーク測光モードから平均測光モードへ、平均測光モードから混合測光モードへ、混合測光モードからピーク測光モードへという具合に循環的に切り替えられる。
【００４５】
ここで、デフォルトの状態では、測光モードの切替えが３つの測光モード全ての中で行われるため、２種類の測光モードしか使うつもりのないユーザにとっては、このデフォルトの状態は、余計な測光モードを経由しなければ切替えを行うことができないという煩わしい状態になっている。そこで、本実施形態では、使う予定のある２つ以上の測光モードの組合せを、ユーザが操作によって予め設定することが可能となっている。その測光モードの組合せの設定は、光源装置３００の光源装置側第２操作ボタン３６０を押すことで行われる。この光源装置側第２操作ボタン３６０が押されると、モニタ４００上に、次のような設定画面が表示される。
【００４６】
図２は、使う予定のある２つ以上の測光モードの組合せを予め設定するための設定画面を示す図である。
【００４７】
光源装置側第２操作ボタン３６０が押されると、この図２に示すように、内視鏡装置１０で実行可能な３つの測光モードにおける２つ以上の測光モードの全ての組合せ（全４種類）が記載された測光モード組合せ設定メニュー３６１が、設定画面としてモニタ４００上に表示される。また、光源装置側第２操作ボタン３６０が押された時点で設定されている測光モードの組合せについてはグレー表示される。上記のデフォルトの状態で光源装置側第２操作ボタン３６０が押された場合には、３つの測光モード全てが使用可能であるので、図２に示すように、３つの測光モードの組合せの記載欄がグレー表示される。
【００４８】
このように測光モード組合せ設定メニュー３６１が表示されると、本実施形態では、ユーザが光源装置側第２操作ボタン３６０を押す度に、グレー表示される記載欄、つまり設定対象の組合せが、図中の降順で循環的に切り替わる。そして、ユーザが、所望の組合せの記載欄をグレー表示させた上で光源装置側第２操作ボタン３６０を長押しすると、プロセッサ側ＣＰＵ２１０において、その記載欄の組合せをなす測光モードが３つの測光モードのうちから選択されることでその組合せが設定される。ここで、測光モード組合せ設定メニュー３６１中の各組合せには、図中降順で通し番号が振られている。そして、所望の組合せが設定されると、その組合せに対応した通し番号が、図１に示すスコープ１００のＥＥＰＲＯＭ１５０に記憶される。
【００４９】
以上に説明した測光モードの２つ以上の組合せを設定する、光源装置側第２操作ボタン３６０に対する一連の操作が本発明にいう選択操作の一例に相当し、３つの測光モードのうちからその一連の操作に応じた測光モードを選択することでそれら２つ以上の組合せを設定するプロセッサ側ＣＰＵ２１０が本発明にいうモード選択部の一例に相当する。また、ＥＥＰＲＯＭ１５０が、本発明にいうモード記憶部の一例に相当する。
【００５０】
尚、本実施形態では、上述のように、測光モードの組合せ設定用の光源装置側第２操作ボタン３６０と、測光モードの切替え用の光源装置側第１操作ボタン３５０との２つの操作ボタンが設けられている。しかしながら、本発明はこの形態に限るものではなく、例えば測光モードの組合せ設定と測光モードの切替えとの双方に兼用して使われる１つの操作ボタンを備えたという別の形態であっても良い。以下、この別の形態について説明する。
【００５１】
尚、この別の形態を採用しても、光源装置３００の操作ボタンが１つである点を除いて内視鏡装置自体の構成に変わりはないので、以下の説明でも図１を参照して説明する。
【００５２】
この別の形態では、上記の１つの操作ボタンへのユーザによる長押し操作を受けて、プロセッサ側ＣＰＵ２１０が、その１つの操作ボタンに対する操作を次のように変更する。
【００５３】
ユーザによってこの１つの操作ボタンが長押しされると、プロセッサ側ＣＰＵ２１０は、その１つの操作ボタンに対する操作を、測光モードの組合せの設定操作と測光モードの切替え操作との間で変更する。
【００５４】
１つの操作ボタンが測光モードの組合せの設定操作に用いらている状態において長押しされると、そのときグレー表示されている組合せが設定されるとともに、プロセッサ側ＣＰＵ２１０は、その１つの操作ボタンに対する操作を測光モードの切替え操作に変更する。逆に、その１つの操作ボタンが測光モードの切替え操作に用いらている状態において長押しされると、プロセッサ側ＣＰＵ２１０は、その１つの操作ボタンに対する操作を測光モードの組合せの設定操作に変更する。ここで、この１つの操作ボタンが、本発明にいう兼用操作子の一例に相当し、プロセッサ側ＣＰＵ２１０が、本発明にいうモード切替部と操作変更部とを兼ねた一例に相当する。また、ここでいう測光モードの組合せの設定操作が本発明にいう選択操作の一例に相当する。
【００５５】
このような別の形態では、光源装置３００のボタン数が少なくて済むという利点がある。
【００５６】
以上で別の形態についての説明を終了し、光源装置３００に２つの操作ボタンが設けられている上記の実施形態の説明に戻る。
【００５７】
このように測光モードの組合せが設定されると、スコープ側操作ボタン１６０あるいは光源装置側第１操作ボタン３５０を押すことによる測光モードの切替えは、その設定された組合せの中でのみ行われる。つまり、混合測光モードとピーク測光モードとの組合せが設定された場合には、切替えは、混合測光モードからピーク測光モードへ、そして、ピーク測光モードから混合測光モードへという具合に、平均測光モードを抜かして切替えが行われる。つまり、ユーザは、使う予定のある２つ以上の測光モードの組合せを予め設定しておけば、不要な測光モードを経ることなく測光モードを切り替えることができる。
【００５８】
ここで、上記の設定された組合せの中で測光モードを切り替えるためにスコープ側操作ボタン１６０あるいは光源装置側第１操作ボタン３５０を押す操作が本発明にいう切替操作の一例に相当し、これらのボタンが押される度に測光モードをその設定された組合せの中で循環的に切り替えるプロセッサ側ＣＰＵ２１０が本発明にいうモード切替部の一例に相当する。
【００５９】
また、上記のように測光モードの組合せの設定が終了した時点で、図１の表示制御部２４０は、モニタ４００の表示を、図２の測光モード組合せ設定メニュー３６１から、スコープ１００での撮影で得られ、信号処理回路２３０での画像処理を経たデジタル画像信号が表わす動画に変更する。その際、表示制御部２４０は、モニタ４００上に、現在設定されている測光モードの組合せを表示する。
【００６０】
図３は、測光モードの組合せの設定終了後の表示画面を模式的に示す図である。
【００６１】
本実施形態では、この図３に示す表示画面２４１の中央の円形の領域２４１ａ内に動画が表示される。そして、その円形の領域２４１ａの図中右上の位置に現在設定されている測光モードの組合せが、図３に示すように、各々が測光モードを示すアルファベットで表示される。また、そのときには、各アルファベットのうち、上記の切替操作によって現在設定されている測光モードに対応するアルファベットが、その測光モード以外の測光モードに対応するアルファベットとは異なる色で表示される。図３の例は、測光モードの組合せとして、混合測光モードとピーク測光モードとからなる組合せが現在設定されている例であり、混合測光モードを示す「Ｍ」とピーク測光モードを示す「Ｐ」が表示されている。また、図３の例では、これらの測光モードのうちピーク測光モードが現在設定されており、ピーク測光モードを示す「Ｐ」が有色文字で表示され、混合測光モードを示す「Ｍ」が白抜き文字で表示されている。この状態で、スコープ側操作ボタン１６０あるいは光源装置側第１操作ボタン３５０が押されると、表示される文字の色が入れ変わり、今度は、混合測光モードを示す「Ｍ」が有色文字で表示され、ピーク測光モードを示す「Ｐ」が白抜き文字で表示されることとなる。このような表示により、ユーザは、現在の測光モードの組合せと、現在の測光モードとを一目で認識することができる。
【００６２】
さらに、図１の内視鏡装置１０では、一旦、測光モードの組合せが設定された後に、測光モードの切替えを、その組合せ中での切替えから、３つの測光モード全部の中での切替えに変更する機能が備えられている。本実施形態では、この機能は、ユーザによるスコープ側操作ボタン１６０あるいは光源装置側第１操作ボタン３５０への長押し操作を受けて、プロセッサ側ＣＰＵ２１０が、スコープ側操作ボタン１６０および光源装置側第１操作ボタン３５０それぞれに対する操作を次のように変更することによってに実現されている。ここで、スコープ側操作ボタン１６０あるいは光源装置側第１操作ボタン３５０への長押し操作が、本発明にいう拡張操作の一例に相当する。
【００６３】
測光モードの組合せが設定された後にユーザによってスコープ側操作ボタン１６０あるいは光源装置側第１操作ボタン３５０が長押しされると、プロセッサ側ＣＰＵ２１０は、スコープ側操作ボタン１６０および光源装置側第１操作ボタン３５０それぞれに対する操作を、測光モードの組合せ中での切替操作から、上記のデフォルト状態に相当する３つの測光モード中での切替操作に変更する。また、さらにその後、スコープ側操作ボタン１６０あるいは光源装置側第１操作ボタン３５０が長押しされると、各ボタンに対する操作が、３つの測光モード中での切替操作から測光モードの組合せ中での切替操作に戻される。
【００６４】
ここで、本実施形態では、各ボタンに対する操作がデフォルト状態に相当する３つの測光モード中での切替操作になっているときには、表示制御部２４０は、モニタ４００上に、３つの測光モード分のアルファベットを表示する。
【００６５】
図４は、各ボタンに対する操作がデフォルト状態に相当する３つの測光モード中での切替操作になっているときの表示画面を模式的に示す図である。
【００６６】
この図４に示す表示画面２４１では、動画が表示される中央の円形の領域２４１ａの図中右上の位置に３つの測光モードそれぞれを示す３つのアルファベット「Ｍ」，「Ｐ」，「Ａ」が表示される。そして、それら３つのアルファベットのうち、現在設定されている測光モードに対応するアルファベットが、その測光モード以外の測光モードに対応するアルファベットとは異なる色で表示される。図４の例は、上記の図３の例と同様に、ピーク測光モードが現在設定されており、ピーク測光モードを示す「Ｐ」のみが有色文字で表示されている。
【００６７】
また、本実施形態では、撮影中に、測光モードの組合せを何度でも設定し直すことができる。この設定のし直しは、撮影中に、光源装置３００の光源装置側第２操作ボタン３６０が押されることで行われる。また、測光モードの組合せが設定し直されたときには、スコープ１００のＥＥＰＲＯＭ１５０に記憶されている通し番号が、新たな組合せに対応した通し番号に更新される。
【００６８】
ここで、本実施形態では、プロセッサ側ＣＰＵ２１０は、内視鏡装置１０に電源が投入されると、その時点でスコープ１００のＥＥＰＲＯＭ１５０に上記の通し番号が記憶されている場合には、その通し番号を読み出し、その通し番号に対応する測光モードの組合せを自動的に設定する。一方、ＥＥＰＲＯＭ１５０に通し番号が記憶されていない場合には、プロセッサ側ＣＰＵ２１０は、上記のデフォルトの状態を設定する。このＥＥＰＲＯＭ１５０内の通し番号に基づいて測光モードの組合せが自動的に設定される一連の処理は、本発明にいう自動選択モードの一例に相当する。
【００６９】
このような処理により、ユーザは、あるスコープを使っての撮影時に所望の測光モードの組合せを設定しておけば、次にそのスコープを使って撮影する際には改めて測光モードの組合せを設定する必要がなく、ユーザの負担が軽減されることになる。
【００７０】
また、ユーザが、撮影開始時に自動的に設定された測光モードの組合せの変更を望む場合には、上述したようにユーザが光源装置側第２操作ボタン３６０を押すことで測光モードの組合せが設定される。このユーザ操作を介して測光モードの組合せを設定する一連の処理は、本発明にいう操作選択モードの一例に相当する。
【００７１】
以上、説明したように本実施形態の内視鏡装置１０によれば、ユーザは、自分が所望する測光モードの組合せの中で切替操作を行えば良く、測光モードを容易に切り替えることができる。
【００７２】
尚、本実施形態では、スコープ１００のＥＥＰＲＯＭ１５０には、一旦設定された測光モードの組合せに対応した通し番号が記憶され、そのスコープ１００を使った次の撮影時には、その通し番号に対応する測光モードの組合せに自動的に設定される。しかしながら、一旦設定された測光モードの組合せの記憶と、次の撮影時における測光モードの組合せの自動設定の方法は、この本実施形態における方法に限られず、例えば、以下に説明する別の方法であっても良い。
【００７３】
以下、設定された測光モードの組合せの記憶と、測光モードの組合せの自動設定の方法との別例について説明する。尚、この別例を採用しても、内視鏡装置自体の構成に変わりはないので、以下の説明でも図１を参照して説明する。
【００７４】
ここで、上記の実施形態における自動設定の方法は、あるスコープについて測光モードの組合せを設定すると、次にそのスコープを使って撮影する際には前回の組合せに自動的に設定するという方法であったのに対し、以下の別例は、ある型番のスコープについて測光モードの組合せを設定すると、次にその型番のスコープを使って撮影する際に前回の組合せに自動的に設定するという方法である点が異なる。つまり、この別例では、測光モードの組合せが設定されたスコープと、今回使用するスコープとが別物であっても型番が同じであれば、測光モードの組合せが自動的に設定される。この型番は、本発明にいう機種の一例に相当する。尚、本発明はこの形態に限るものではなく、本発明にいう機種は、上部消化管用スコープや下部消化管用スコープ等というように撮影対象別に分類されたスコープの種類であっても良く、あるいは、光学ズーム付スコープや光学ズームなしスコープ等といった構造別に分類されたスコープの種類等であっても良い。
【００７５】
この別例では、一旦設定された測光モードの組合せに対応した通し番号は、スコープ１００のＥＥＰＲＯＭ１５０ではなく、プロセッサ側メモリ２２０に記憶される。また、プロセッサ側メモリ２２０に記憶される際には、通し番号は、スコープ１００の型番に対応付けられて記憶される。一方、スコープ１００のＥＥＰＲＯＭ１５０には、そのスコープ１００の型番が製造メーカにおいて予め記憶される。ここで、この別例におけるＥＥＰＲＯＭ１５０が本発明にいう機種記憶部の一例に相当し、プロセッサ側メモリ２２０が本発明にいう機種対応モード記憶部の一例にする。
【００７６】
そして、そのスコープ１００あるいは同型番の別スコープについて、次の撮影時に測光モードの組合せの自動設定が次のように行われる。内視鏡装置１０に電源が投入されると、プロセッサ側ＣＰＵ２１０は、スコープのＥＥＰＲＯＭからそのスコープの型番を読み出す。次に、プロセッサ側ＣＰＵ２１０は、プロセッサ側メモリ２２０内をその型番で検索して、その型番に対応付けられている通し番号を読み出し、その通し番号に対応する測光モードの組合せを自動的に設定する。一方、プロセッサ側メモリ２２０にその型番に対応付けられている通し番号が記憶されていない場合には、プロセッサ側ＣＰＵ２１０は、上記のデフォルトの状態を設定する。このＥＥＰＲＯＭ１５０内の型番に基づいて測光モードの組合せが自動的に設定される一連の処理は、本発明にいう機種対応選択モードの一例に相当する。
【００７７】
このような方法でも、ユーザは、あるスコープを使っての撮影時に所望の測光モードの組合せを設定しておけば、次にそのスコープあるいはそのスコープと同型番のスコープを使って撮影する際には改めて測光モードの組合せを設定する必要がなく、ユーザの負担が軽減されることになる。
【００７８】
尚、上記では、本発明を内視鏡装置に適用した例を示したが、本発明はこれに限るものではなく、本発明は、測光によって撮影条件を調整しながら撮影を行い、測光モードを循環的に切り替える撮影装置一般に適用することができる。
【００７９】
また、上記では、本発明の撮影装置の一実施形態として、着脱自在のスコープ１００を備えた内視鏡装置１０を例示したが、本発明はこれに限るものではなく、本発明の撮影装置は、例えばスコープが固定されたもの等であっても良い。
【００８０】
また、上記では、本発明にいう条件調整部の一例として、絞り３２０と、その絞り３２０を動かす光源装置側ＣＰＵ３３０とを合せたものを例示したが、本発明はこれに限るものではなく、本発明の条件調整部は、ＣＣＤにおける電子シャッタのシャッタスピードを調整するものであっても良く、あるいは、ＣＤＳ／ＡＧＣ回路での自動利得制御の利得を調整するものであっても良い。
【図面の簡単な説明】
【００８１】
【図１】本発明の一実施形態である内視鏡装置を示す図である。
【図２】使う予定のある２つ以上の測光モードの組合せを予め設定するための設定画面を示す図である。
【図３】測光モードの組合せの設定終了後の表示画面の一例を模式的に示す図である。
【図４】各ボタンに対する操作がデフォルト状態に相当する３つの測光モード中での切替操作になっているときの表示画面を模式的に示す図である。
【符号の説明】
【００８２】
１０    内視鏡装置
１００    スコープ
１１０    ライトガイド
１２０    ＣＣＤ
１３０    ＣＤＳ／ＡＧＣ回路
１４０    Ａ／Ｄ変換回路
１５０    ＥＥＰＲＯＭ
１６０    スコープ側操作ボタン
２００    プロセッサ
２１０    プロセッサ側ＣＰＵ
２２０    プロセッサ側メモリ
２３０    信号処理回路
２４０    表示制御部
２４１    表示画面
２４１ａ    円形の領域
３００    光源装置
３１０    光源
３２０    絞り
３３０    光源装置側ＣＰＵ
３４０    光源装置側メモリ
３５０    光源装置側第１操作ボタン
３６０    光源装置側第２操作ボタン
３６１    測光モード組合せ設定メニュー
４００    モニタ
【図１】
0004796556.tif 000002
【図２】
0004796556.tif 000003
【図３】
0004796556.tif 000004
【図４】
0004796556.tif 000005